(57)【要約】  【課題】  機器の安全性の向上。  【解決手段】  起動時にＣＰＵ２８は、撮像部１０の各部に異常が生じているか否かを判定する。その結果、異常が生じていると判定された場合は内蔵メモリ２４に記録されているデータを外部メモリ２６にバックアップするとともに、診断結果生成部２０が自装置の自己診断を実行し、機器の状態情報を収集する。診断結果生成部２０は収集された状態情報から診断結果データを作成し、外部メモリ２６に書き込む。【選択図】    図１
2013115726.tif 000002
【特許請求の範囲】
【請求項１】
データを記録する内部記録媒体、
所定のタイミングで自装置の異常を検出する異常検出部、および
自装置の状態を診断する診断部を備え、
前記異常検出部によって異常が検出された場合に前記診断部に自装置の診断を実行させ、診断結果と前記内部記録媒体に記録されているデータを外部記録媒体に記録する電子機器。
【請求項２】
前記所定のタイミングは自装置の電源がオンまたはオフされた時である請求項１記載の電子機器。
【請求項３】
前記異常検出部によって異常が検出されたことを報知する報知部をさらに備え、
前記異常検出部によって異常が検出された場合にその旨を報知する報知部をさらに備える請求項１および２記載の電子機器
【請求項４】
前記報知部は、音声出力又は発光の少なくとも一方で報知を行う請求項３記載の電子機器。
【請求項５】
前記診断結果には、異常を検出した日時に関連する情報、自装置の温度に関連する情報、およびバッテリー残量に関連する情報のうち少なくとも１つの情報が含まれる請求項１乃至４記載の電子機器。
【発明の詳細な説明】
【技術分野】
【０００１】
本発明は、電子機器に関し、特に電子機器の安全性の向上に関する。
【背景技術】
【０００２】
近年、デジタルカメラやＩＣレコーダーなどの電子機器が普及している。これらの電子機器は、小型で携行性に優れている。
【０００３】
そのため、ユーザーが携行中に電子機器を何かにぶつけたり、誤って落下させてしまうなどして、電子機器を破損させてしまうことや、電子機器が持つ機能が損なわれてしまうこと（以下、故障と表記する。）などがある。
【０００４】
このような場合、ユーザーは、カスタマーサービスなどに故障した電子機器の修理を依頼することとなる。カスタマーサービスでは、作業者は、故障した電子機器を修理するために、電子機器を分解し故障の原因を分析し、その分析結果に基づいて修理作業を行う。
【０００５】
例えば、特許文献１には、修理モードに設定されたことに応じて、自装置の自己診断を実行し、その診断結果を表示するカメラについて開示されている。
【先行技術文献】
【特許文献】
【０００６】
【特許文献１】特開２００２−１７６５７１号公報
【発明の概要】
【発明が解決しようとする課題】
【０００７】
特許文献１に開示されている発明は、修理モードに設定することで自己診断が実行される。即ち、ユーザーによって手動で修理モードが設定されない限り、自己診断が行われることはない。
【０００８】
したがって、機器が故障しているにもかかわらず、ユーザーが故障に気付かずに機器を使用し続けてしまい、その結果、事故につながる恐れがある。
【課題を解決するための手段】
【０００９】
本発明は、上記課題に鑑みてなされたものであり、本願発明にかかる電子機器は、（クレーム完成後、挿入）ことを特徴とする。
【発明の効果】
【００１０】
本発明によると、例えば、電子機器の起動時など所定のタイミングで電子機器を構成する各部位の異常検出を行い、異常が検出された場合に、データのバックアップを実行する。
【００１１】
また、異常が検出された時の機器の状態を診断し、その診断結果を診断結果データとして外部メモリに記録する。これにより、ユーザーは電子機器が故障した、或いは故障した可能性があることを容易に察知することができ、安全性が向上する。
【００１２】
また、カスタマーサービスの修理作業者は診断結果データを参照することで、故障の原因分析を効率的に行うことができ、修理作業の作業効率を向上させることができる。
【図面の簡単な説明】
【００１３】
【図１】本発明にかかる撮像装置１の構成の概略を示すブロック図である。
【図２】本発明にかかる撮像装置１が異常検出の報知を実行する態様の一例を示す図解図である。
【図３】本発明にかかる撮像装置１の起動処理の処理動作を示すフローチャートである。
【図４】本発明にかかる撮像装置１のデータバックアップ実行時の処理動作を示すフローチャートである。
【図５】自己診断実行時に診断される診断項目の一例を示す模式図である。
【図６】本発明にかかる撮像装置１の自己診断実行時の処理動作を示すフローチャートである。
【発明を実施するための形態】
【００１４】
［実施例］
本発明の一実施形態として、本発明をデジタルカメラやデジタルビデオカメラ等の撮像装置に適用した場合を例として説明する。
【００１５】
（撮像装置１の構成）
図１は本発明に係る撮像装置１の構成の概略を示すブロック図である。撮像装置１は、撮像素子（イメージセンサ）２と、被写体の撮影画角（ズーム倍率）を変更するためのズームレンズ４、被写体にピントを合わせる為のフォーカスレンズ６、露光量を調整するための絞り８などを備える撮像部１０を備える。
【００１６】
また、撮像装置１は、撮像部１０が捉えた被写体に相当する画像（以下、被写体画像と記載する。）等を一時記録するＲＡＭ（Random Access Memory）１２、ＲＡＭ１２に一時記録された被写体画像に色補間処理、ホワイトバランス調整、ノイズリダクション処理等の各種信号処理を施す信号処理部１４を備える。
【００１７】
また、撮像装置１は、信号処理部１４で処理された被写体画像が静止画である場合はＪＰＥＧ（Joint Photographic Experts Group）方式、動画である場合はＭＰＥＧ（Moving
Picture Experts Group）方式などにより該被写体画像に圧縮符号化処理を施し、圧縮画像信号を生成する画像コーデック部１６を備える。
【００１８】
また、撮像装置１は、自装置の各部に電力を供給し、動作させるためのバッテリー１８、撮像装置１の動作異常を検出する診断結果生成部２０を備える。
【００１９】
また、撮像装置１は、被写体画像を表示する表示部２２、撮影された被写体画像を記録するための内蔵メモリ２４、および外部メモリ２６を備える。
【００２０】
また、撮像装置１は、自装置の動作を制御するＣＰＵ（Central Processing Unit）２８、撮像装置１本体の状態を検出するセンサ部３０、および撮像装置１に対するユーザからの操作を受け付け、当該操作に応じた指示をＣＰＵ２８に与える操作部３２、を備える。
【００２１】
撮像素子２は、例えば、ＣＣＤ（Charge Coupled Device）イメージセンサ、ＣＭＯＳ（Complementary Metal Oxide Semiconductor）イメージセンサ等の固体撮像素子が使用される。
【００２２】
ＲＡＭ１２は、例えば、ＶＲＡＭ（Video Random Access Memory）、ＳＲＡＭ（Static
Random Access Memory）、ＤＲＡＭ（Dynamic Random Access Memory）、或いはＳＤＲ
ＡＭ（Synchronous DRAM）などの一般的に用いられているＲＡＭが使用される。
【００２３】
表示部２２は、例えば、ＬＣＤ（Liquid Crystal Display）モニタや有機ＥＬ（Electro-Luminescence）モニタが使用される。また、表示部２２は、人の指の接触を感知するタッチパネル式であっても構わない。
【００２４】
内蔵メモリ２４は、例えば、フラッシュメモリや内蔵型ＨＤＤ（Hard Disk Drive）などの撮像装置１に内蔵される内蔵記録媒体が使用される。
【００２５】
外部メモリ２６は、例えば、ＳＤメモリカードやメモリスティック（登録商標）、外付けＨＤＤなどの撮像装置１への着脱が自在な外部記録媒体が使用される。
【００２６】
センサ部３０は、撮像装置１の現在位置を測位するＧＰＳ（Global Positioning System）３０１、および、撮像装置１の本体内部の温度を検出する温度センサ３０２、などを備える。
【００２７】
操作部３２は、撮影処理を実行させるシャッタボタン３２１、ズームレンズ４を駆動させ、被写体のズーム倍率を調節するズームスイッチや、セルフタイマーをセットするタイマースイッチ（共に図示せず。）、などを備える。
【００２８】
（撮像装置１の起動処理）
次に、図２および図３を参照して、撮像装置１の起動処理動作について説明する。
【００２９】
撮像装置１の電源がオンされると、バッテリー１８から、撮像装置１の各部に電源が供給される。
【００３０】
ＣＰＵ２８は、所定の動作パターンを撮像部１０に実行させ、その際に出力される信号に基づき撮像部１０を構成する各部に異常が生じているか否かを判定する。異常の検出方法については後述する。
【００３１】
ＣＰＵ２８によって、撮像部１０を構成する各部に異常が生じていないと判定された場合は、撮像装置１を起動させ、静止画撮影モード、動画撮影モードなど、および再生モードなど、被写体の撮影や再生にかかる動作モードに移行する。
【００３２】
以後、ユーザーによって電源オフ操作が与えられるまで撮像装置１はユーザーの操作に応じて各動作モードに従った処理動作を行う。
【００３３】
一方、ＣＰＵ２８によって、撮像部１０を構成する各部の少なくとも１つの部位に異常が生じていると判定された場合、内蔵メモリ２４に記録されている全てのデータを外部メモリ２６にバックアップする。
【００３４】
これは、撮像装置１を修理に出さなければならない場合、修理中は内蔵メモリ２４に記録されているデータが閲覧できなくなること、また修理の内容によっては、内蔵メモリ２４に記録されているデータの消去を伴う場合があるためである。
【００３５】
バックアップを実行する場合、ＣＰＵ２８は図２Ａに示すように表示部２２にバックアップを実行する旨を表示させることでユーザーに報知する。
【００３６】
データのバックアップ中は、図２Ｂに示すようにバックアップの進捗状況を表示部２２に表示するようにしてもよい。また、バックアップに際して必要のない部位（例えば、信
号処理部１４など。）への電力供給を中止するようにしてもよい。
【００３７】
データのバックアップが完了すると、ＣＰＵ２８は、診断結果生成部２０に撮像装置１の自己診断の実行を指示する。
【００３８】
ＣＰＵ２８から自己診断の実行指示を受け付けると、診断結果生成部２０は、異常検出時の撮像装置１の状態情報を収集し診断結果データを作成し、外部メモリ２６に記録する。自己診断中は、その旨を表示部２２に表示させるようにしてもよい。
【００３９】
診断結果データの作成および外部メモリ２６への記録が完了すると、撮像装置１の電源は自動的にオフされる。このようにして、ユーザーは撮像装置１が故障したことを容易に知ることができる。
【００４０】
図３は、撮像装置の起動処理に係る処理動作を示すフローチャートである。ステップＳ３０１では、撮像装置１の電源がオンされたか否かを判定する。
【００４１】
電源がオンされた場合はステップＳ３０３に進み、そうでない場合はステップＳ３０１を繰り返す。
【００４２】
ステップＳ３０３では、撮像部１０の各部の異常検出処理を実行する。ステップＳ３０５では、撮像部１０に異常が生じているか否かを判定する。
【００４３】
撮像部１０に異常が生じている場合はステップＳ３０７に進み、そうでない場合はステップＳ３１５に進む。
【００４４】
ステップＳ３０７では、異常を検出したことをユーザーに報知する。ステップＳ３０９では、データのバックアップを実行する。データのバックアップが完了したらステップＳ３１１に進む。
【００４５】
ステップＳ３１１では、撮像装置１の診断結果データを生成し、生成した診断結果データを外部メモリ２６に書き込む。診断結果データの書き込みが完了したらステップＳ３１３に進む。ステップＳ３１３では、撮像装置１の電源がオフされる。
【００４６】
ステップＳ３１５では、撮像装置１を通常起動させ、プレビューモードに設定する。ステップＳ３１７では、ユーザーによって電源オフ操作が為されたか否かを判定する。電源オフ操作が為された場合はステップＳ３１３に進み、そうでない場合はステップＳ３１７を繰り返す。
（撮像装置１のデータバックアップ時の処理動作）
次にデータのバックアップを実行する際の撮像装置１の処理動作について説明する。ＣＰＵ２８は、内蔵メモリ２４に記録されているデータ（以下、バックアップデータと記載する。）のデータサイズを算出する。
【００４７】
続いて、ＣＰＵ２８は、外部メモリ２６の空き容量を参照し、バックアップデータを記録可能な空き容量があるか否かを判定する。
【００４８】
この時、外部メモリ２６の空き容量が、バックアップデータのデータサイズよりも数Mbyteから数十Mbyte程度上回る容量であるか否かを判定するようにしておくことが望ましい。
【００４９】
これは診断結果データを記録する領域を確保しておくためである。この様にしておくこ
とで、診断結果データを外部メモリ２６に書き込むときに、再度、外部メモリ２６の空き容量を参照する必要がなくなり処理時間を短縮することができる。
【００５０】
バックアップデータを記録可能な空き容量がないと判定された場合は、表示部２２にその旨を報知させ、他の外部メモリの装着をユーザーに促す。
【００５１】
新たな外部メモリ２６が装着された場合は、再度、外部メモリ２６の空き容量を参照する。
【００５２】
外部メモリ２６にバックアップデータを記録可能な空き容量があると判定されると、バックアップデータを外部メモリ２６に書き込む。
【００５３】
バックアップデータの外部メモリ２６への書き込みが完了したらバックアップ処理を終了する。
【００５４】
図４は、図３のステップＳ３０５におけるデータバックアップにかかる処理動作を示すフローチャートである。データバックアップ処理は以下のサブルーチンにしたがって実行される。
【００５５】
ステップＳ４０１では、バックアップデータのデータサイズを算出する。ステップＳ４０３では、外部メモリ２６の空き容量を算出する。
【００５６】
ステップＳ４０５では、外部メモリ２６の空き容量がバックアップデータのデータサイズを上回るか否かを判定する。外部メモリ２６の空き容量がバックアップデータのデータサイズを上回る場合はステップＳ４０７に進み、そうでない場合は、ステップＳ４１１に進む。
【００５７】
ステップＳ４０７では、バックアップデータを外部メモリ２６に書き込む。ステップＳ４０９では、バックアップデータの書き込みが完了したか否かを判定する。バックアップデータの書き込みが完了した場合は上階層のルーチンに復帰し、そうでない場合はステップＳ４０９を繰り返す。
【００５８】
ステップＳ４１１では、外部メモリ２６の空き容量が不足していることを報知する。ステップＳ４１３では、新たな外部メモリ２６が撮像装置１に装着されたか否かを判定する。
【００５９】
新たな外部メモリ２６が装着された場合はステップＳ４０３に戻り、そうでない場合はステップＳ４１１に戻る。
（撮像装置１の自己診断実行時の処理動作）
次に自己診断を実行する際の撮像装置１の処理動作について説明する。ＣＰＵ２８は、異常を検出した時の撮像装置１の状態情報を収集し、診断結果データを生成する。
【００６０】
図５は、診断結果データの内容を示す模式図である。診断結果データは複数の診断項目と各診断項目の診断結果で構成される。
【００６１】
診断項目は、例えば、エラーを検出した日時、撮像部１０の各部の駆動状況、絞り８の駆動状況、バッテリー残量、および本体温度、などの項目が含まれる。
【００６２】
撮像部１０の各部の駆動状況は、所定の動作パターンを撮像部１０に実行させ、その際に出力される信号と、予め内蔵メモリ２４に記録されている期待値とを比較することで正
常駆動しているか否かを判断する。撮像部１０の異常検出処理の詳細は後述する。
【００６３】
ＣＰＵ２８は各診断項目の情報を収集し、診断結果生成部２０に書き込む。すべての診断項目の情報の収集が完了すると、診断結果生成部２０は、書き込まれた各診断結果を集約した１つのデータファイル（例えば、テキストファイル。以下、診断結果データと記載する。）を生成して、外部メモリ２６に書き込む。
【００６４】
診断結果データの書き込みが完了すると診断結果生成部２０に書き込まれた各診断項目の情報を削除して、自己診断を終了する。
【００６５】
図５は、図３のステップＳ３０７における自己診断にかかる処理動作を示すフローチャートである。自己診断は以下のサブルーチンにしたがって実行される。
【００６６】
ステップＳ５０１では、各診断項目にしたがって撮像装置１の情報を収集する。ステップＳ５０３では、情報の収集が完了したか否かを判定する。各診断項目の情報の収集が完了した場合はステップＳ５０５に進み、そうでない場合はステップＳ５０１に戻る。
【００６７】
ステップＳ５０５では、収集した診断項目の情報から診断結果データを生成する。ステップＳ５０７では、ステップＳ５０５で生成した診断結果データを外部メモリ２６に書き込む。
【００６８】
ステップＳ５０９では、診断結果生成部２０に書き込まれた各診断項目の情報を削除し、上階層のルーチンに復帰する。
（撮像部１０の異常検出処理動作）
次に、撮像装置１の異常検出処理動作について説明する。ＣＰＵ２８は異常検出を行うために、撮像部１０の各部に対して、所定パターンの動作指示を出力する。
【００６９】
撮像部１０の各部はＣＰＵ２８から出力された動作指示にしたがって所定パターンの動作を行い、動作時の出力値をＣＰＵ２８に返す。
【００７０】
ＣＰＵ２８は予め内蔵メモリ２４に記録されている期待値を読み出し、撮像部１０の各部から出力される出力値と、内蔵メモリ２４から読み出した期待値との比較を行う。
【００７１】
この期待値は、所定パターンの動作が正常に行われた場合に撮像部１０各部から出力される出力値を示しており、撮像部の各部に対応する期待値がそれぞれ用意されている。
【００７２】
比較の結果、撮像部１０の各部が出力した出力値が、対応する期待値と一致、或いは、出力値と期待値の差分が所定の範囲内である場合は、正常に駆動していると判断する。
【００７３】
具体的には、次のようにして検出される。まず、撮像素子２の異常検出について説明する。
【００７４】
ＣＰＵ２８は絞り８に対して、絞り８を閉状態にする命令を出力する。絞り８が閉状態にされると、外部からの光が遮断される。同時にＣＰＵ２８は所定時間（例えば、１／４秒間など。）撮像素子２を駆動させ電荷を蓄積する。
【００７５】
撮像素子２において、暗電流の多い欠陥画素については、絞り８が閉状態にされているにもかかわらず電荷が蓄積していく。
【００７６】
１／４秒間の電荷蓄積が終了すると、ＣＰＵ２８は撮像素子２の各画素の電荷量を予め
定められた所定値と比較し、所定値を上回る画素数をカウントする。
【００７７】
カウントの結果、所定値を上回る電荷量を持つ画素数が所定数（例えば１００個など。）以上あった場合に、撮像素子２に異常が生じていると判断する。
【００７８】
次にズームレンズ４の異常検出について説明する。ズームレンズ４は撮像装置１内に設けられたアクチュエータ（図示せず。）によって駆動される。
【００７９】
アクチュエータは、モータに接続された回転するギヤとそれに噛み合うカム枠等によって構成され、モータの回転がギヤを介してカム枠に伝わることで、ズームレンズ４を光軸方向に沿って駆動させることができる。
【００８０】
また、アクチュエータは、モータが所定量回転するごとにパルス信号を出力するエンコーダを備え、このパルス信号をカウントすることでモータの回転速度（換言すると単位時間当たりの回転数。）を検出することができる。
【００８１】
ＣＰＵ２８はズームレンズ４を駆動させるモーターを所定の回転速度（以下、指示回転速度と記載する。）で回転させる命令を出力する。
【００８２】
モーターはこの指示回転速度にしたがって回転する。エンコーダーは、モーターの回転によって発生するパルス信号をＣＰＵ２８に出力する。ＣＰＵ２８は、所定時間の間に発生したパルス信号をカウントし、実際の回転速度を検出する。
【００８３】
ＣＰＵ２８は指示回転速度と実際の回転速度との差分を算出し、この差分が予め定められた閾値ＴＨの範囲内であるか否かを判定する。
【００８４】
判定の結果、誤差が閾値ＴＨの範囲内である場合はズームレンズ４は正常に駆動していると判断し、閾値ＴＨの範囲外である場合はズームレンズ４の駆動に異常が生じていると判断する。
【００８５】
このようにして、ズームレンズ４の駆動状況を検出することができる。また、フォーカスレンズ６の駆動状況についても同様の方法で検出することができる。
【００８６】
尚、指示回転速度と実際の回転速度の差分を算出するのではなく、指示回転速度と実際の回転速度の比率を用いて異常判定を行うようにしてもよい。
【００８７】
次に、絞り８の異常検出について説明する。ＣＰＵ２８は、絞り８を開放状態にする命令を出力する。絞り８が開放状態にされると測光を実行し、その時の明るさを検出すると共にこの明るさを示す値をＲＡＭ１２に格納する。
【００８８】
次に、ＣＰＵ２８は検出された明るさが所定の明るさ以上であるか否かを判定する。この時、検出された明るさが所定の明るさを下回る場合は絞り８に異常が生じていると判断する。
【００８９】
検出された明るさが、所定の明るさ以上であった場合、ＣＰＵ２８は絞り８を最大まで絞り込み状態にする命令を出力する。
【００９０】
絞り８が最大絞り込み状態にされると再度、測光を実行し、その時の明るさを検出すると共にこの明るさを示す値をＲＡＭ１２に格納する。
【００９１】
ＣＰＵ２８はＲＡＭ１２に格納した開放状態での明るさを示す値と最大絞り込み状態での明るさを示す値の差分を算出し、この差分が所定の閾値ＴＨ２の範囲内であるか否かを判定する。
【００９２】
判定の結果、当該差分が閾値ＴＨ２の範囲内である場合は、絞り８は正常に駆動していると判断し、そうでない場合は絞り８に異常が生じていると判断する。
【００９３】
尚、開放状態での明るさを示す値と最大絞り込み状態での明るさを示す値の差分を算出するのではなく、開放状態での明るさを示す値と最大絞り込み状態での明るさを示す値の比率を用いて異常判定を行うようにしてもよい。
（まとめ）
上記実施例では、撮像装置１の電源がオンされると撮像部１０の異常検出を実行するようにしているが、例えば、電源がオフされる時にも異常検出を実行するようにしてもよい。また、電源がオン中は、所定周期毎に異常検出を行うようにしてもよい。
【００９４】
上記実施例では、バックアップデータおよび診断結果データを撮像装置１に装着された外部メモリ２６に記録するようにしている。
【００９５】
しかし、バックアップ先はこれに限定されず、例えば、無線通信により外部サーバーとデータ通信が可能な電子機器の場合は、バックアップデータおよび診断結果データを外部サーバーに送信するようにしてもよい。
【００９６】
上記実施例では、異常検出した場合、その旨を表示部２２に表示することでユーザーに報知する。
【００９７】
しかし、報知の方法はこれに限定されず、例えば、音声を出力するスピーカーを備える電子機器の場合は、音声を出力することでユーザーに報知するようにしてもよい。
【００９８】
また、図１の撮像装置１をハードウェア、或いは、ハードウェアとソフトウェアの組み合わせによって構成することもできる。
【００９９】
ソフトウェアを用いて撮像装置１を構成する場合、ソフトウェアによって実現される部位についてのブロック図は、その部位の機能ブロック図を表すことになる。
【０１００】
ソフトウェアによって実現される機能はプログラムとして記述され、当該プログラムがプログラム実行装置（例えば、コンピュータなど。）によって実行されることによって、その機能が実現される。
【０１０１】
具体的には、例えば、図１のブロック図において図示されないプログラム格納用のフラッシュメモリに格納されたプログラムをＣＰＵ２８に実行させることで、上述の各機能を実現することができる。
【０１０２】
図１のブロック図においては、例えば、ＣＰＵ２８と撮像部１０、ＲＡＭ１２、バッテリー１８、表示部２２、内蔵メモリ２４、外部メモリ２６、センサ部３０および操作部３２をハードウェアにて構成し、他のブロックをソフトウェアにて構成することができる。
【０１０３】
ただし、診断結果生成部２０および操作部３２の一部または全部をハードウェアにて構成しても構わない。
【０１０４】
以上、本発明の一実施例について説明したが、本発明はこれらの実施例に限定されず、
その要旨の範囲内で変形及び変更が可能である。
【符号の説明】
【０１０５】
２      撮像素子
４      ズームレンズ
６      フォーカスレンズ
８      絞り
１２      メモリ
１４      信号処理部
１６      画像コーデック部
１８      バッテリー
２０      診断結果生成部
２２      表示部
２４      内蔵メモリ
２６      外部メモリ
２８      ＣＰＵ
３０      センサ部
３０１    ＧＰＳ
３０２    温度センサ
３２      操作部
３２１    シャッタボタン
【図１】
2013115726.tif 000003
【図２】
2013115726.tif 000004
【図３】
2013115726.tif 000005
【図４】
2013115726.tif 000006
【図５】
2013115726.tif 000007
【図６】
2013115726.tif 000008
【手続補正書】
【提出日】平成24年9月12日(2012.9.12)
【手続補正１】
【補正対象書類名】明細書
【補正対象項目名】０００９
【補正方法】変更
【補正の内容】
【０００９】
本発明は、上記課題に鑑みてなされたものであり、本願発明にかかる電子機器は、データを記録する内部記録媒体、所定のタイミングで自装置の異常を検出する異常検出部、および自装置の状態を診断する診断部を備え、前記異常検出部によって異常が検出された場合に前記診断部に自装置の診断を実行させ、診断結果と前記内部記録媒体に記録されているデータを外部記録媒体に記録することを特徴とする。